(57)【特許請求の範囲】
【請求項１】
複数の送信モードを備え、画情報を送信する際に、指定された宛先のアドレス情報に対応する送信モードをセットして送信処理を実行するネットワークファクシミリ装置において、
宛先毎に複数のアドレス情報とそれらのアドレス情報におのおの設定される優先順位情報とを任意に入力する入力手段と、
上記入力手段により入力されたアドレス情報と優先順位情報とを記憶する記憶手段と、
画情報を送信する際に指定された宛先のアドレス情報が上記記憶手段に複数記憶されている場合には、設定されている優先順位情報に応じて所定のアドレス情報を選択し、その選択されたアドレス情報に対応した送信モードをセットする送信処理手段とを備えたことを特徴とするネットワークファクシミリ装置。
【請求項２】
前記送信処理手段は、最初にセットした送信モードを適用した送信処理を行えない場合には、他の送信モードを適用するフォールバック機能を備えるとともに、前記指定された宛先にフォールバック禁止が設定されている場合には、上記フォールバック機能を使用しないことを特徴とする請求項１記載のネットワークファクシミリ装置。
【請求項３】
多数の宛先を登録して、１つのキー操作により宛先を指定可能なワンタッチダイアル手段をさらに備えたことを特徴とする請求項１または請求項２記載のネットワークファクシミリ装置。
【請求項４】
宛先選択時に前記ワンタッチダイアル手段の同一キーが繰り返し操作されると、当該キーに登録されている複数のアドレス情報を、前記優先順位情報に従って順次切換選択することを特徴とする請求項３記載のネットワークファクシミリ装置。
【請求項５】
前記複数の送信モードは、インターネットを介し電子メールを用いて画情報を通信する電子メール型インターネット画情報通信の送信モードと、インターネットを介しリアルタイム的に画情報を通信するリアルタイム型インターネット画情報通信の送信モードと、公衆網を介して画情報を通信する公衆網画情報通信の送信モードのうち少なくとも１つを含むことを特徴とする請求項１または請求項２または請求項３または請求項４記載のネットワークファクシミリ装置。
【請求項６】
前記アドレス情報は、メールアドレス、ＩＰアドレス、または、電話アドレスであることを特徴とする請求項１または請求項２または請求項３または請求項４または請求項５記載のネットワークファクシミリ装置。
【請求項７】
複数の送信モードを備え、画情報を送信する際に、指定された宛先のアドレス情報に対応する送信モードをセットして送信処理を実行するネットワークファクシミリ装置の制御方法において、
宛先毎に複数のアドレス情報とそれらのアドレス情報におのおの設定される優先順位情報とを任意に入力する入力手段を備え、
上記入力手段により入力されたアドレス情報と優先順位情報とを記憶するとともに、
画情報を送信する際に指定された宛先のアドレス情報が上記記憶手段に複数記憶されている場合には、設定されている優先順位情報に応じて所定のアドレス情報を選択し、その選択されたアドレス情報に対応した送信モードをセットするようにしたことを特徴とするネットワークファクシミリ装置の制御方法。
【請求項８】
さらに、最初にセットした送信モードを適用した送信処理を行えない場合には、他の送信モードを適用するフォールバック機能を備えるとともに、前記指定された宛先にフォールバック禁止が設定されている場合には、上記フォールバック機能を使用しないことを特徴とする請求項７記載のネットワークファクシミリ装置の制御方法。
【請求項９】
多数の宛先を登録して、１つのキー操作により宛先を指定可能なワンタッチダイアル手段をさらに備えたことを特徴とする請求項１または請求項２記載のネットワークファクシミリ装置の制御方法。
【請求項１０】
宛先選択時に前記ワンタッチダイアル手段の同一キーが繰り返し操作されると、当該キーに登録されている複数のアドレス情報を、前記優先順位情報に従って順次切換選択することを特徴とする請求項９記載のネットワークファクシミリ装置の制御方法。
【請求項１１】
前記複数の送信モードは、インターネットを介し電子メールを用いて画情報を通信する電子メール型インターネット画情報通信の送信モードと、インターネットを介しリアルタイム的に画情報を通信するリアルタイム型インターネット画情報通信の送信モードと、公衆網を介して画情報を通信する公衆網画情報通信の送信モードのうち少なくとも１つを含むことを特徴とする請求項１または請求項２または請求項３または請求項４記載のネットワークファクシミリ装置の制御方法。
【請求項１２】
前記アドレス情報は、メールアドレス、ＩＰアドレス、または、電話アドレスであることを特徴とする請求項７または請求項８または請求項９または請求項１０または請求項１１記載のネットワークファクシミリ装置の制御方法。
【発明の詳細な説明】
【０００１】
【発明の属する技術分野】
本発明は、複数の通信手段を備え、指定された宛先へ、上記複数の通信手段のうちいずれか１つを選択して、指定された画情報を送信するネットワークファクシミリ装置およびその制御方法に関する。
【０００２】
【従来の技術】
近年、ファクシミリ装置の通信回線として、インターネットを利用することが考えられており、そのための通信標準として、ＩＴＵ−Ｔ勧告Ｔ．３７と勧告Ｔ．３８の２つが制定された。
【０００３】
ＩＴＵ−Ｔ勧告Ｔ．３７では、インターネットを介して電子メールを用いて画情報を通信する電子メール型インターネットファクシミリ通信方法が規定され、また、ＩＴＵ−Ｔ勧告Ｔ．３８では、インターネットを介してグループ３ファクシミリ伝送手順（ＩＴＵ−Ｔ勧告Ｔ．３０手順）に準じ、リアルタイム的に画情報を通信するリアルタイム型インターネットファクシミリ通信方法が規定されている。
【０００４】
そして、これらの勧告Ｔ．３７および勧告Ｔ．３７の制定を受けて、公衆網を介して画情報を通信する機能のほかに、インターネットへ接続し、電子メール型インターネットファクシミリ通信機能あるいはリアルタイム型インターネットファクシミリ通信機能を備え、公衆網およびインターネットを介して、画情報通信ができるネットワークファクシミリ装置が実用されている。
【０００５】
一方、インターネットの世界でも、インターネットを利用してファクシミリ通信を行おうとする試みが、ＩＴＵ−Ｔ勧告Ｔ．３７，Ｔ．３８以前からなされている。
【０００６】
例えば、インターネット上でやりとりする電子メールを用いて、ファクシミリ画情報を通信する電子メール型インターネットファクシミリ通信システムについては、ＩＥＴＦ（Ｉｎｔｅｒｎｅｔ  Ｅｎｇｉｎｅｅｒｉｎｇ  Ｔａｓｋ  Ｆｏｒｃｅ）というインターネットに関する技術内容をまとめている組織から発行されているＲＦＣ（Ｒｅｑｕｅｓｔ  Ｆｏｒ  Ｃｏｍｍｅｎｔｓ）２３０１〜２３０６により、その技術内容が規定されている。
【０００７】
また、勧告Ｔ．３７とＲＦＣ２３０５（シンプルモード・ファクシミリ）では、使用する電子メールの形式などが共通化されており、勧告Ｔ．３７に従うネットワークファクシミリ装置と、ＲＦＣ２３０５に準拠したソフトウェアを実装したワークステーション装置やネットワークファクシミリ装置との間で、相互にファクシミリが情報をやりとりすることができる。
【０００８】
【発明が解決しようとする課題】
このような状況から、ネットワークファクシミリ装置は、その通信機能として、公衆網を利用したグループ３ファクシミリ通信、インターネットの電子メールを利用した電子メール型インターネットファクシミリ通信、および、インターネットを利用したリアルタイム型インターネットファクシミリ通信の３つのいずれかを選択できることとなってきている。
【０００９】
一方、これらのグループ３ファクシミリ通信、電子メール型インターネットファクシミリ通信、および、リアルタイム型インターネットファクシミリ通信では、それぞれ、宛先を指定するためのアドレス情報が異なる。
【００１０】
例えば、グループ３ファクシミリ通信では公衆網上の電話番号がアドレス情報として用いられ、、電子メール型インターネットファクシミリ通信ではメールアドレスがアドレス情報として用いられ、リアルタイム型インターネットファクシミリ通信ではＩＰアドレスがアドレス情報として用いられる。
【００１１】
したがって、上述したようなネットワークファクシミリ装置では、１つの宛先について、３つまでの異なるアドレス情報を登録する必要があり、これらのアドレス情報を指定するための個別のキーなどを備えると、ネットワークファクシミリ装置の操作キーの数が増えて装置コストが上がる、あるいは、宛先を指定するための操作が煩雑となるという不具合を生じるおそれがある。
【００１２】
本発明は、かかる実情に鑑みてなされたものであり、宛先のダイアル情報を選択するキー数を減らせるとともに、宛先の指定時の操作の煩雑さを軽減できるネットワークファクシミリ装置およびその制御方法を提供することを目的としている。
【００１３】
【課題を解決するための手段】
本発明は、複数の送信モードを備え、画情報を送信する際に、指定された宛先のアドレス情報に対応する送信モードをセットして送信処理を実行するネットワークファクシミリ装置において、宛先毎に複数のアドレス情報とそれらのアドレス情報におのおの設定される優先順位情報とを任意に入力する入力手段と、上記入力手段により入力されたアドレス情報と優先順位情報とを記憶する記憶手段と、画情報を送信する際に指定された宛先のアドレス情報が上記記憶手段に複数記憶されている場合には、設定されている優先順位情報に応じて所定のアドレス情報を選択し、その選択されたアドレス情報に対応した送信モードをセットする送信処理手段とを備えたものである。また、前記送信処理手段は、最初にセットした送信モードを適用した送信処理を行えない場合には、他の送信モードを適用するフォールバック機能を備えるとともに、前記指定された宛先にフォールバック禁止が設定されている場合には、上記フォールバック機能を使用しないようにしたものである。また、多数の宛先を登録して、１つのキー操作により宛先を指定可能なワンタッチダイアル手段をさらに備えたものである。また、宛先選択時に前記ワンタッチダイアル手段の同一キーが繰り返し操作されると、当該キーに登録されている複数のアドレス情報を、前記優先順位情報に従って順次切換選択するようにしたものである。また、前記複数の送信モードは、インターネットを介し電子メールを用いて画情報を通信する電子メール型インターネット画情報通信の送信モードと、インターネットを介しリアルタイム的に画情報を通信するリアルタイム型インターネット画情報通信の送信モードと、公衆網を介して画情報を通信する公衆網画情報通信の送信モードのうち少なくとも１つを含むものである。また、前記アドレス情報は、メールアドレス、ＩＰアドレス、または、電話アドレスである。
【００１４】
また、複数の送信モードを備え、画情報を送信する際に、指定された宛先のアドレス情報に対応する送信モードをセットして送信処理を実行するネットワークファクシミリ装置の制御方法において、宛先毎に複数のアドレス情報とそれらのアドレス情報におのおの設定される優先順位情報とを任意に入力する入力手段を備え、上記入力手段により入力されたアドレス情報と優先順位情報とを記憶するとともに、画情報を送信する際に指定された宛先のアドレス情報が上記記憶手段に複数記憶されている場合には、設定されている優先順位情報に応じて所定のアドレス情報を選択し、その選択されたアドレス情報に対応した送信モードをセットするようにしたものである。また、さらに、最初にセットした送信モードを適用した送信処理を行えない場合には、他の送信モードを適用するフォールバック機能を備えるとともに、前記指定された宛先にフォールバック禁止が設定されている場合には、上記フォールバック機能を使用しないようにしたものである。また、多数の宛先を登録して、１つのキー操作により宛先を指定可能なワンタッチダイアル手段をさらに備えたものである。また、宛先選択時に前記ワンタッチダイアル手段の同一キーが繰り返し操作されると、当該キーに登録されている複数のアドレス情報を、前記優先順位情報に従って順次切換選択するようにしたものである。また、前記複数の送信モードは、インターネットを介し電子メールを用いて画情報を通信する電子メール型インターネット画情報通信の送信モードと、インターネットを介しリアルタイム的に画情報を通信するリアルタイム型インターネット画情報通信の送信モードと、公衆網を介して画情報を通信する公衆網画情報通信の送信モードのうち少なくとも１つを含む。また、前記アドレス情報は、メールアドレス、ＩＰアドレス、または、電話アドレスである。
【００１９】
【発明の実施の形態】
以下、添付図面を参照しながら、本発明の実施の形態を詳細に説明する。
【００２０】
図１は、本発明の一実施例にかかるファクシミリ通信システムの概略を示している。
【００２１】
この通信システムにおいて、ネットワークファクシミリ装置ＩＦ１は、公衆網ＰＳＴＮ１およびインターネットＩＮＥＴへ接続し、公衆網ＰＳＴＮ１を介して画情報を通信するためのＩＴＵ−Ｔ勧告Ｔ．３０に準拠したグループ３ファクシミリ通信機能、および、インターネットＩＮＥＴを介して画情報通信を行うためのＩＴＵ−Ｔ勧告Ｔ．３７に準拠した電子メール型インターネットファクシミリ通信機能および勧告Ｔ．３８に準拠したリアルタイム型インターネットファクシミリ通信機能を備えたものである。
【００２２】
また、ネットワークファクシミリ装置ＩＦ２は、公衆網ＰＳＴＮ２およびインターネットＩＮＥＴへ接続し、公衆網ＰＳＴＮ２を介して画情報を通信するための勧告Ｔ．３０に準拠したグループ３ファクシミリ通信機能、および、インターネットＩＮＥＴを介して画情報通信を行うための勧告Ｔ．３７に準拠した電子メール型インターネットファクシミリ通信機能および勧告Ｔ．３８に準拠したリアルタイム型インターネットファクシミリ通信機能を備えたものである。
【００２３】
なお、勧告Ｔ．３８では、公衆網ＰＳＴＮに接続されたグループ３ファクシミリ装置が、インターネットＩＮＥＴを介して、通常の勧告Ｔ．３０の通信プロトコルを用いて画情報通信する際、ネットワークファクシミリ装置をインターネットＩＮＥＴにおける中継装置として利用できるようにしたリアルタイムインターネットゲートウェイ機能についても規定されており、上記したネットワークファクシミリ装置ＩＦ１，ＩＦ２は、このようなリアルタイムインターネットゲートウェイ機能を備えていてもよい。
【００２４】
ここで、勧告Ｔ．３７，Ｔ．３８およびＲＦＣ２３０１〜２３０５の詳細については、本願発明の内容に直接関係しない部分が多いので、そのような部分については、その説明を省略する。
【００２５】
図２は、ネットワークファクシミリ装置ＩＦ（ＩＦ１，ＩＦ２）の構成例を示している。
【００２６】
同図において、システム制御部１は、このネットワークファクシミリ装置ＦＩの各部の制御処理、および、装置全体の制御処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＩに固有な各種の情報を記憶するためのものであり、時計回路４は、現在時刻情報を出力するものである。
【００２７】
スキャナ５は、所定の解像度で原稿画像を読み取るためのものであり、プロッタ６は、所定の解像度で画像を記録出力するためのものであり、操作表示部７は、このネットワークファクシミリ装置ＦＩを操作するためのもので、各種の操作キー、および、各種の表示器からなる。
【００２８】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２９】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００３０】
網制御装置１１は、このネットワークファクシミリ装置ＦＩを公衆網ＰＳＴＮ（ＰＳＴＮ１，ＰＳＴＮ２）に接続するためのものであり、自動発着信機能を備えている。また、グループ３ファクシミリ通信制御部１２は、勧告Ｔ．３０に準拠したプロトコル処理を実行して、所定のグループ３ファクシミリ通信を実現するためのものである。
【００３１】
ローカルエリアネットワーク（インターネット）制御部１３は、このネットワークファクシミリ装置ＦＩを、ローカルエリアネットワーク（図示略）を介して、インターネットＩＮＥＴへ接続するためのものであり、ローカルエリアネットワーク（インターネット）通信制御部１４は、勧告Ｔ．３７に準拠した電子メール型インターネットファクシミリ通信機能および勧告Ｔ．３８に準拠したリアルタイム型インターネットファクシミリ通信機能を実現して、インターネットＩＮＥＴを介し、画情報のやりとりを実行するためのものである。
【００３２】
これらの、システム制御部１、システムメモリ２、パラメータメモリ３、時計回路４、スキャナ５、プロッタ６、操作表示部７、符号化復号化部８、画像蓄積装置９、グループ３ファクシミリ通信制御部１２、網制御装置３１、および、ローカルエリアネットワーク（インターネット）通信制御部１４は、内部バス５に接続されており、これらの各要素間でのデータのやりとりは、主としてこの内部バス１５を介して行われている。
【００３３】
なお、ここでは簡単のために説明を省略したが、一般的に、このネットワークファクシミリ装置ＦＩは、いずれかの組織のローカルエリアネットワークに接続される。そして、このローカルエリアネットワークがルータ装置などを介し、インターネット・サービス・プロバイダ業者のネットワーク機器と接続され、それにより、ローカルエリアネットワークが、インターネットＩＮＥＴを構成する１つの要素となる。それにより、ローカルエリアネットワークに接続されている各機器（ネットワークファクシミリ装置ＦＩを含む）は、ローカルエリアネットワークおよびインターネットＩＮＥＴを介して、適宜なデータ通信を行うことができるようになっている。
【００３４】
図３は、操作表示部７の一例を示している。
【００３５】
同図において、スタートキー７ａは、このネットワークファクシミリ装置ＦＩの送受信動作の開始を指令入力するためのものであり、ストップキー６ｂは、このネットワークファクシミリ装置ＦＩの動作の停止を指令入力するためのものであり、コピーキー７ｃは、ネットワークファクシミリ装置ＦＩのコピー動作を開始させるためのものであり、テンキー７ｄは、電話番号などの数字（数値）情報を入力するためのものである。
【００３６】
キー群７ｅは、切替により、メールアドレスを入力するためのアルファベットおよび記号を入力するためのメールキー、あるいは、１つのキー操作で宛先を指定するためのワンタッチダイアルキーのいずれかに用いられるものである。
【００３７】
ファクスキー７ｆは、電話番号を登録するためのファクシミリモードを指定するためのものであり、電子メールキー７ｇは、メールアドレスを登録するための電子メールモードを指定するためのものであり、ＩＰアドレスキー７ｈは、ＩＰアドレスを登録するためのＩＰアドレスモードを指定するためのものである。
【００３８】
ファンクションキー７ｉは、ワンタッチダイアルへのアドレス情報の登録など、ネットワークファクシミリ装置ＦＩの種々の機能を指定するためのものであり、液晶表示器７ｊは、このネットワークファクシミリ装置ＦＩからオペレータへの種々のメッセージを表示するためのものであり、ＹＥＳキー７ｋは、液晶表示器７ｊに表示されたガイダンスメッセージに対する肯定的な回答を入力するためなどに用いられるものであり、ＮＯキー７ｍは、液晶表示器７ｉに表示されたガイダンスメッセージに対する否定的な回答を入力するためなどに用いられるものである。
【００３９】
ランプ７ｎは、このネットワークファクシミリ装置ＦＩが通信動作中であることを表示するためのものであり、ランプ７ｐは、このネットワークファクシミリ装置ＦＩに通信動作中のエラーなどが生じている旨を警告表示するためのものである。
【００４０】
また、このネットワークファクシミリ装置ＦＩには、ワンタッチダイアルにより宛先を指定する際に参照される情報が、図４（ａ）に示したようなワンタッチダイアル情報テーブルに登録される。
【００４１】
また、このネットワークファクシミリ装置ＦＩには、２桁の数字を指定することで、宛先を選択できる短縮ダイアル機能も備えられており、おのおのの短縮ダイアルに登録する内容は、同図（ｂ）に示したような短縮ダイアル情報テーブルに登録される。
【００４２】
そして、ワンタッチダイアル情報テーブルを構成するワンタッチダイアル情報、および、短縮ダイアル情報テーブルを構成する短縮ダイアル情報には、同図（ｃ）に示すように、１つの宛先について、電話番号、メールアドレス、および、ＩＰアドレスの３種類のアドレス情報が登録される。
【００４３】
また、電話番号、メールアドレス、および、ＩＰアドレスは、同図（ｄ）に示すように、それぞれ［電話番号］［＊＊］［優先度］、［メールアドレス］［＊＊］［優先度］、［ＩＰアドレス］［＊＊］［優先度］というフォーマットで保存される。
【００４４】
ここで、［電話番号］、［メールアドレス］、［ＩＰアドレス］は、それぞれ登録される内容がそのまま配置される。［＊＊］は、区切り符号であり、前半の［電話番号］などと後半の［優先度］を区切るためのものである。
【００４５】
また、［優先度］は、同図（ｅ）に示すように、２桁の数字［ｂａ］からなる。１桁目の数字［ａ］は、１〜９の値を取る。ここで、数字が小さいほど、優先度が高い。また、２桁目の数字［ｂ］は、［１］またはそれ以外の数字が配置される。ここで、［１］は、より高い優先度の送信モードで通信エラーとなっても、このモードへはフォールバックしない旨をあらわし、それ以外の値は無意味な値である。
【００４６】
また、それぞれの宛先となる端末が、このネットワークファクシミリ装置ＦＩと同じ機能を備えているとは限らないので、ワンタッチダイアル情報または短縮ダイアル情報のすべてに、電話番号、メールアドレス、および、ＩＰアドレスのすべてのアドレス情報が登録されるとは限らない。
【００４７】
すなわち、このネットワークファクシミリ装置ＦＩは、公衆網ＰＳＴＮを介して、通常のグループ３ファクシミリ装置との間で画情報のやりとりを行うことができ、その場合には、そのグループ３ファクシミリ装置を宛先として登録する場合には、電話番号のみが登録される。
【００４８】
また、ネットワークファクシミリ装置ＦＩによっては、電子メール型インターネットファクシミリ通信機能のみ、あるいは、リアルタイム型インターネットファクシミリ通信機能のみを備えている場合があり、かかるネットワークファクシミリ装置ＦＩを宛先として登録する場合には、電話番号とメールアドレスまたはメールアドレスのみ、あるいは、電話番号とＩＰアドレスまたはＩＰアドレスのみが登録される。
【００４９】
ここで、公衆網ＰＳＴＮを利用するグループ３ファクシミリ通信、電子メール型インターネットファクシミリ通信、および、リアルタイム型インターネットファクシミリ通信のぞれぞれについて、長所と短所を述べる。
【００５０】
まず、グループ３ファクシミリ通信は、相手端末と直接接続されるので、相手端末の端末機能の全てを利用して画情報通信を行うことができるとともに画情報の送達結果を即時に得ることができるという長所がある一方、相手端末がビジーの場合には通信できない、また、遠距離通信時の通信コストがかさむという短所がある。
【００５１】
また、電子メール型インターネットファクシミリ通信は、通信回線としてインターネットを利用するために遠距離通信時の通信コストが安く、電子メールを利用するために相手端末がビジーの場合でも画情報を送信できるという長所がある一方、相手端末と直接に接続しないので、送信できる画情報のモードが標準的なもの（用紙サイズが「Ａ４サイズ」、符号化方式が「ＭＨ」、線密度が「標準／精細」）しか扱えない、また、画情報の送達結果を即時に得られないという短所がある。
【００５２】
また、リアルタイム型インターネットファクシミリ通信は、通信回線としてインターネットを利用するために遠距離通信時の通信コストが安く、相手端末と直接接続されるので、相手端末の端末機能の全てを利用して画情報通信を行うことができるとともに画情報の送達結果を即時に得ることができるという長所がある一方、相手端末がビジーの場合には通信できないという短所がある。
【００５３】
さらに、グループ３ファクシミリ通信、電子メール型インターネットファクシミリ通信、および、リアルタイム型インターネットファクシミリ通信の相互におけるフォールバック通信を考えると、電子メール型インターネットファクシミリ通信では、送信できる画情報モードが限られているので、他の通信モードからこの電子メール型インターネットファクシミリ通信へフォールバックさせる場合には、送信画情報のモードを参照して、例えば、用紙サイズが「Ｂ４」の場合には、フォールバックさせないなどの制御を行うことが好ましい。
【００５４】
したがって、例えば、ワンタッチダイアル「Ａ」には、「電話番号」に「０３−１２３４−５６７８＊＊０１」が登録され、「メールアドレス」に「ｕｓｅｒ１＠ａｂｃ．ｃｏ．ｊｐ＊＊１３」が登録され、「ＩＰアドレス」に「１３３．１３９．２２．３３＊＊０２」が登録される。
【００５５】
この登録内容では、アドレス情報の優先順位が「電話番号」、「ＩＰアドレス」、「メールアドレス」の順に設定されるとともに、電子メール型インターネットファクシミリ通信へのフォールバックが禁止されている。
【００５６】
以上の構成で、ネットワークファクシミリ装置ＦＩにワンタッチダイアルまたは短縮ダイアルに宛先のアドレス情報を登録する場合、ユーザは、操作表示部７を用いて、図５に示すような操作を行う。
【００５７】
まず、アドレス登録がファンクション「０１」に設定されているので、ユーザは、ファンクションキー７ｉ、テンキー７ｄの「０」、「１」を順次操作して、ファンクション０１を指定する（ステップ１０１）。
【００５８】
次いで、キー群７ｅまたは短縮ダイアルを操作して、登録先のワンタッチダイアルキーまたは短縮ダイアルキーを選択する（処理１０２）。それにより、ネットワークファクシミリ装置ＦＩは、液晶表示器７ｊに適宜なガイダンスを表示し、ファクス番号、メールアドレス、または、ＩＰアドレスのいずれかを入力するように、ユーザに対して要求する。
【００５９】
ここで、ユーザがファクスキー７ｆを操作してファクス番号を選択すると（ステップ１０３）、ネットワークファクシミリ装置ＦＩは、液晶表示器７ｊに適宜なガイダンスを表示して、ファクス番号と優先度の入力を要求し、それにより、ユーザはテンキー７ｄを用いてファクス番号と優先度を入力し（ステップ１０４）、入力を終了すると、ＹＥＳキー７ｋを操作する（ステップ１０５）。
【００６０】
それにより、ネットワークファクシミリ装置ＦＩは、液晶表示器７ｊに適宜なガイダンスを表示し、入力されたファクス番号と優先度を表示するとともに、ファクス番号、メールアドレス、または、ＩＰアドレスのいずれかを入力するように、ユーザに対して要求する。
【００６１】
次いで、ユーザが電子メールキー７ｇを操作してメールアドレスを選択すると（ステップ１０６）、ネットワークファクシミリ装置ＦＩは、液晶表示器７ｊに適宜なガイダンスを表示して、メールアドレスと優先度の入力を要求し、それにより、ユーザはキー群７ｅを用いてメールアドレスを入力するとともに、テンキー７ｄを用いて優先度を入力し（ステップ１０７）、入力を終了すると、ＹＥＳキー７ｋを操作する（ステップ１０８）。
【００６２】
それにより、ネットワークファクシミリ装置ＦＩは、液晶表示器７ｊに適宜なガイダンスを表示し、入力されたファクス番号と優先度、および、メールアドレスと優先度を表示するとともに、ファクス番号、メールアドレス、または、ＩＰアドレスのいずれかを入力するように、ユーザに対して要求する。
【００６３】
そして、ユーザがＩＰアドレスキー７ｈを操作してＩＰアドレスを選択すると（ステップ１０９）、ネットワークファクシミリ装置ＦＩは、液晶表示器７ｊに適宜なガイダンスを表示して、ＩＰアドレスと優先度の入力を要求し、それにより、ユーザはテンキー７ｄおよびキー群７ｅの「．（ピリオド）」キーを用いてＩＰアドレスを入力するとともに、テンキー７ｄを用いて優先度を入力し（ステップ１１０）、入力を終了すると、ＹＥＳキー７ｋを操作する（ステップ１１１）。
【００６４】
それにより、ネットワークファクシミリ装置ＦＩは、液晶表示器７ｊに適宜なガイダンスを表示し、入力されたファクス番号と優先度、メールアドレスと優先度、および、ＩＰアドレスと優先度を表示するとともに、ファクス番号、メールアドレス、または、ＩＰアドレスのいずれかを入力するように、ユーザに対して要求する。
【００６５】
ユーザは、必要なアドレス情報（ファクス番号（電話番号）、メールアドレス、および、ＩＰアドレス）の入力を完了したので、ＹＥＳキー７ｋを押し、ワンタッチダイアルまたは短縮ダイアルに宛先のアドレス情報を登録する作業を終了し（ステップ１１２）、これにより、ネットワークファクシミリ装置ＦＩは、登録された各アドレス情報を、指定されたワンタッチダイアルキーに対応したワンタッチダイアル情報、または、指定された短縮ダイアルキーに対応した短縮ダイアル情報へ登録し、このときの動作を終了する。
【００６６】
図６は、ワンタッチダイアルまたは短縮ダイアルに宛先のアドレス情報を登録する場合のシステム制御部１が実行する処理の一例を示している。
【００６７】
まず、ファンクション０１が入力されたかどうかを調べ（判断２０１）、判断２０１の結果がＹＥＳになるときには、キー群７ｅまたは短縮ダイアルが操作されて、登録先のワンタッチダイアルキーまたは短縮ダイアルキーが選択されるまで待つ（判断２０２のＮＯループ）。
【００６８】
登録先のワンタッチダイアルキーまたは短縮ダイアルキーが選択されて、判断２０２の結果がＹＥＳになると、システム制御部１は、液晶表示器７ｊに適宜な操作ガイダンスを表示し、ファクス番号、メールアドレス、または、ＩＰアドレスのいずれかを入力するように、ユーザに対して要求するとともに、ファクスキー７ｆ、電子メールキー７ｇ、あるいは、ＩＰアドレスキー７ｈのいずれかが選択されるか、または、ＹＥＳキー７ｋが入力されるまで待つ（判断２０３，２０４のＮＯループ）。
【００６９】
ここで、ファクスキー７ｆ、電子メールキー７ｇ、あるいは、ＩＰアドレスキー７ｈのいずれかが選択され、判断２０３の結果がＹＥＳになると、そのときに選択されたキーに対応してアドレス属性をセットし（処理２０５）、いずれかのキーが操作されるまで待つ（判断２０６のＮＯループ）。
【００７０】
いずれかのキーが操作されて、判断２０６の結果がＹＥＳになるときには、その操作されたキーがＹＥＳキー７ｋであるかどうかを調べる（判断２０６）。いずれかのアドレス情報のためのキー入力がされた場合であり、判断２０６の結果がＮＯになるときには、そのときのキー入力が、そのときのアドレス属性に一致するかどうかを調べ（判断２０８）、判断２０８の結果がＹＥＳになるときには、そのときに入力されたデータをメモリに格納し（処理２０９）、判断２０６へ戻り、次のキー入力に備える。また、判断２０８の結果がＮＯになるときには、そのときのキー入力を無視し、判断２０６へ戻って、次のキー入力に備える。
【００７１】
１つのアドレス情報の入力が終了して、ユーザがＹＥＳキー７ｋを押した場合で、判断２０７の結果がＹＥＳになるときには、そのときの入力内容の表示を追加した状態で、判断２０３へ戻り、ユーザのキー操作を待つ。
【００７２】
そして、ユーザがアドレス情報の登録を終了するために、ＹＥＳキー７ｋを操作し、判断２０４の結果がＹＥＳになると、そのときに登録された各アドレス情報を、指定されたワンタッチダイアルキーに対応したワンタッチダイアル情報、または、指定された短縮ダイアルキーに対応した短縮ダイアル情報へ登録し、このときの動作を終了する。
【００７３】
図７は、本実施例にかかる画情報送信時の処理の一例を示している。
【００７４】
ワンタッチダイアルまたは短縮ダイアルを用いて宛先が指定された送信動作が指令されると（処理３０１）、そのときに操作されたワンタッチダイアルキーまたは短縮ダイアルキーに対応したワンタッチダイアル情報または短縮ダイアル情報を読み出して、複数のアドレス情報が登録されているかどうかを調べる（判断３０２）。
【００７５】
そのときに操作されたワンタッチダイアルキーまたは短縮ダイアルキーに対応したワンタッチダイアル情報または短縮ダイアル情報に複数のアドレス情報が登録されている場合で、判断３０２の結果がＹＥＳになるときには、登録されているアドレス情報に優先度が含まれているかどうかを調べる（判断３０３）。
【００７６】
判断３０３の結果がＹＥＳになるときには、優先度がもっとも高く設定された第１優先順位のアドレス情報を選択し、その選択したアドレス情報に対応した送信モードを、そのときに使用する送信モードとしてセットし（処理３０４）、その送信モードの送信処理（再送信処理も含む）を実行して（処理３０５）、指定された画情報を送信する。
【００７７】
ここで、処理３０５の送信処理で、画情報送信が成功したかどうかを調べ（判断３０６）、画情報送信が成功した場合で、判断３０６の結果がＹＥＳになるときには、この動作を終了する。
【００７８】
また、画情報送信が失敗した場合で、判断３０６の結果がＮＯになるときには、次の優先順位のアドレス情報が登録されているかどうかを調べる（判断３０７）。なお、フォールバックが禁止されているアドレス情報のみが登録されている場合には、この判断３０７の結果がＮＯになる。
【００７９】
次の優先順位のアドレス情報が登録されている場合で、判断３０７の結果がＹＥＳになるときには、次の優先順位（優先度）のアドレス情報を選択し、その選択したアドレス情報に対応した送信モードを、そのときに使用する送信モードとしてセットし（処理３０８）、処理３０５へ戻り、その送信モードの送信処理を実行する。
【００８０】
一方、判断３０７の結果がＮＯになるときには、この動作を終了する（エラー終了）。
【００８１】
また、そのときに操作されたワンタッチダイアルキーまたは短縮ダイアルキーに対応したワンタッチダイアル情報または短縮ダイアル情報に登録されているアドレス情報に優先度が含まれていない場合で、判断３０３の結果がＮＯになるときには、あらかじめ設定されているデフォルトの送信モードを、そのときに使用する送信モードとしてセットし（処理３０９）、その送信モードの送信処理を実行して（処理３１０）、指定された画情報を送信する。
【００８２】
また、そのときに操作されたワンタッチダイアルキーまたは短縮ダイアルキーに対応したワンタッチダイアル情報または短縮ダイアル情報に複数のアドレス情報が登録されていない場合で、判断３０２の結果がＮＯになるときには、登録されているアドレス情報に対応した送信モードで送信処理（再送信処理も含む）を実行して、指定された画情報を送信する。
【００８３】
このようにして、本実施例では、ワンタッチダイアルまたは短縮ダイアルに登録されている複数のアドレス情報のうち、優先度の高いものから順次選択して、対応する送信モードの画情報送信動作を行うようにしているので、ユーザが意図する画情報送信動作を実行することができる。
【００８４】
また、１つのワンタッチダイアルまたは短縮ダイアルに、複数のアドレス情報を登録しているので、操作表示部に用意するキーの数を減らすことができ、装置コストの上昇を抑制することができる。
【００８５】
ところで、上述した実施例では、画情報送信時、登録されたアドレス情報の優先度に従って、自動的に送信モードをフォールバックするようにしているが、ユーザが送信モードを明示的に選択することもできる。
【００８６】
例えば、ワンタッチキー「Ａ」を１回押すと、図８（ａ）に示すように、優先度「１」が設定されている「電話番号」が選択されるとともに、送信モードとしてファクスモード（グループ３ファクシミリ通信モード）が選択され、それらの選択内容が液晶表示器７ｊに表示される。
【００８７】
また、再度ワンタッチキー「Ａ」を押すと、同図（ｂ）に示すように、優先度「２」が設定されている「ＩＰアドレス」が選択されるとともに、送信モードとしてリアルタイムインターネットモード（リアルタイム型インターネットファクシミリ通信モード）が選択され、それらの選択内容が液晶表示器７ｊに表示される。
【００８８】
さらに、再度ワンタッチキー「Ａ」を押すと、同図（ｃ）に示すように、優先度「３」が設定されている「メールアドレス」が選択されるとともに、送信モードとしてインターネットメールモード（メール型インターネットファクシミリ通信モード）が選択され、それらの選択内容が液晶表示器７ｊに表示される。
【００８９】
そして、再度ワンタッチキー「Ａ」を押すと、同図（ａ）の状態に選択状態が戻るとともに、液晶表示器７ｊの表示内容が更新される。
【００９０】
ユーザは、表示内容が自分の所望する内容になったところで、スタートキー７ａを押すことで、その表示させた送信モードでの画情報送信動作を開始させることができる。
【００９１】
このようにして、ユーザが明示的に送信モードを指定できるとともに、その指定の際には、同一のワンタッチダイアルキーを繰り返し操作するだけでよいので、宛先指定の操作性が大幅に向上するとともに、ユーザの所望する送信モードを指定できることとなる。
【００９２】
図９は、この場合、ワンタッチダイアルキーが操作された際に、システム制御部１が実行する処理の一例を示している。
【００９３】
ワンタッチダイアルキーが入力されるかどうかを調べる（判断４０１）。判断４０１の結果がＮＯになるときには、他の処理へ移行する。
【００９４】
また、、判断４０１の結果がＹＥＳになるときには、カウンタＮの値に「１」をセットし（処理４０２）、その操作されたワンタッチダイアルキーに対応したワンタッチダイアル情報から、Ｎ番目の優先順位のアドレス情報を読み出し、その読み出したアドレス情報と対応する送信モードを液晶表示器７ｊに表示する（処理４０３）。
【００９５】
この状態で、ユーザがＹＥＳキー７ｋを操作するか、あるいは、ワンタッチダイアルキーを操作するまで待つ（判断４０４，４０５のＮＯループ）。
【００９６】
ユーザがワンタッチダイアルキーを操作した場合で、判断４０５の結果がＹＥＳになるときには、同一キーであるかどうかを調べ（判断４０６）、同一キーが再度操作された場合で、判断４０６の結果がＹＥＳになるときには、カウンタＮ１に１を加えた値をモデュロ３で処理した結果の値を、カウンタＮにセットして（処理４０７）、処理４０３へ戻り、次の優先順位の送信モードを表示する。
【００９７】
また、別のワンタッチダイアルキーが操作された場合で、判断４０６の結果がＮＯになるときには、カウンタＮの値に「１」をセットして（処理４０８）、処理４０３へ戻る。この場合には、新たに操作されたワンタッチダイアルキーに対応したワンタッチダイアル情報から、Ｎ（１）番目の優先順位のアドレス情報を読み出し、その読み出したアドレス情報と対応する送信モードを液晶表示器７ｊに表示する。
【００９８】
また、ＹＥＳキー７ｋが操作された場合で、判断４０４の結果がＹＥＳになるときには、そのときに選択されたアドレス情報と送信モードを適用して、指定された画情報を送信する送信処理を実行して（処理４０９）、この動作を終了する。
【００９９】
なお、上述した実施例では、ワンタッチダイアルキーを繰り返し操作した場合に、登録されたアドレス情報を優先度に従って順次選択するようにしているが、短縮ダイアルキーが繰り返し操作された場合にも、同様の処理を実行することができる。
【０１００】
【発明の効果】
以上説明したように、本発明によれば、登録されている複数のアドレス情報のうち、優先度の高いものから順次選択して、対応する送信モードの画情報送信動作を行うようにしているので、ユーザが意図する画情報送信動作を実行することができるという効果を得る。
【０１０１】
また、１つのキーに、複数のアドレス情報を登録しているので、操作表示部に用意するキーの数を減らすことができ、装置コストの上昇を抑制することができるという効果も得る。
【０１０２】
また、ユーザが明示的に送信モードを指定できるとともに、その指定の際には、同一のワンタッチダイアルキーを繰り返し操作するだけでよいので、宛先指定の操作性が大幅に向上するとともに、ユーザの所望する送信モードを指定できるという効果も得る。
【図面の簡単な説明】
【図１】本発明の一実施例にかかるファクシミリ通信システムの概略を示したブロック図。
【図２】ネットワークファクシミリ装置ＩＦ（ＩＦ１，ＩＦ２）の構成例を示したブロック図。
【図３】操作表示部７の一例を示した概略図。
【図４】ワンタッチダイアルテーブル、短縮ダイアルテーブル、アドレス情報などの一例を示した概略図。
【図５】ネットワークファクシミリ装置ＦＩにワンタッチダイアルまたは短縮ダイアルに宛先のアドレス情報を登録する場合のユーザ操作の一例を示したフローチャート。
【図６】ワンタッチダイアルまたは短縮ダイアルに宛先のアドレス情報を登録する場合のシステム制御部１が実行する処理の一例を示したフローチャート。
【図７】本実施例にかかる画情報送信時の処理の一例を示したフローチャート。
【図８】ワンタッチキー「Ａ」を繰り返し操作した場合のアドレス情報および送信モードの選択例を示した概略図。
【図９】ワンタッチダイアルキーが操作された際に、システム制御部１が実行する処理の一例を示したフローチャート。
【符号の説明】
ＦＩ，ＦＩ１，ＦＩ２  ネットワークファクシミリ装置
１  システム制御部
７  操作表示部
【図１】
0003653558.tif 000002
【図２】
0003653558.tif 000003
【図３】
0003653558.tif 000004
【図４】
0003653558.tif 000005
【図５】
0003653558.tif 000006
【図６】
0003653558.tif 000007
【図７】
0003653558.tif 000008
【図８】
0003653558.tif 000009
【図９】
0003653558.tif 000010